(57)【要約】      （修正有）【課題】使用が容易であり、信頼性のある締め付け装置を提供する。【解決手段】装置は、ベルト（１０）と、ベルトの環状凹部内に配置された封止リング（２２）と、ベルトの端（１０Ａ、１０Ｂ）によって支持された２つの締め付け突起（１２Ａ、１２Ｂ）とを備える。凹部のエッジは、封止リングのエッジに対する押し込み段差を形成する。封止リングは、凹部の全幅を実質的に占める。ベルトの端（１０Ａ、１０Ｂ）は、第二端に形成された横タブ（２８Ａ、２８Ｂ）を備える封止構成を有する。横タブは、各横タブが前記押し込み段差のうちの１つの一部を備えるように、ベルトの一方のエッジから凹部へ、ベルト上の幅方向に伸びる。【選択図】図１
2020115037.tif 000002
【特許請求の範囲】
【請求項１】
第一端および第二端（１０Ａ、１０Ｂ）を有するベルト（１０）と、前記ベルトの環状凹部（１１）内に配置された封止リング（２２）と、それぞれ前記第一端および第二端（１０Ａ、１０Ｂ）の近傍において前記ベルトによって支持された第一締め付け突起および第二締め付け突起（１２Ａ、１２Ｂ）とを備える締め付け装置であって、前記突起は、前記ベルトを締め付けるために互いに対して変位可能であり、前記凹部（１１）は、前記封止リングのエッジに対する押し込み段差（１１Ａ、１１Ｂ）を形成するエッジを有し、前記封止リングは、前記段差間の前記凹部（１１）の全幅（ＬＲ）を実質的に占め、前記ベルトの前記第一端および第二端は、前記第二端に形成された２つの横タブ（２８Ａ、２８Ｂ；１２７Ａ、１２８Ｂ）を備える封止構成（２４、２６；１２４、１２６）を有し、これらの横タブのそれぞれは、各横タブが前記押し込み段差（１１Ａ、１１Ｂ）のうちの１つの一部を備えるように、前記ベルト（１０’Ａ、１０’Ｂ）の一方のエッジから前記凹部（１１）へ、ベルト上の幅方向に伸びる、締め付け装置。
【請求項２】
前記封止構成は、オス／メスタイプ構成であり、前記ベルトの前記第一端は、前記ベルトの締め付け状態において、前記第二端の前記横タブ（２８Ａ、２８Ｂ；１２８Ａ、１２８Ｂ）間に貫入するオス構成（２４；１２４）である、請求項１に記載の装置。
【請求項３】
前記封止構成は、前記ベルトの前記第一端（１０Ａ）に形成された中心タブ（２４；１２４）と、前記ベルトの前記第二端（１０Ｂ）に形成され、前記横タブ（２８Ａ、２８Ｂ；１２８Ａ、１２８Ｂ）によって規定された中心ノッチ（２６；１２６）とを備え、前記中心タブは、前記ベルトの締め付け状態において、前記中心ノッチに貫入する、請求項２に記載の装置。
【請求項４】
前記凹部（１１）は、前記押し込み段差の一方から他方（１１Ａ、１１Ｂ）へ伸びる平坦な底部（１１’）を有する、請求項１〜３のいずれか１項に記載の装置。
【請求項５】
前記締め付け突起（１２Ａ、１２Ｂ）は、前記ベルト上に付加された細片部（１４Ａ、１４Ｂ）に形成される、請求項１〜４のいずれか１項に記載の装置。
【請求項６】
前記締め付け突起（１２Ａ、１２Ｂ）が形成された前記細片部（１４Ａ、１４Ｂ）は、前記凹部の幅（ＬＲ）以下である幅（ＬＰ）を有し、前記凹部（１１）の半径方向外側の面に締め付けられる、請求項５に記載の装置。
【請求項７】
前記第一突起（１２Ａ）が形成された前記細片部（１４Ａ）は、前記中心タブ（２４）上に位置する少なくとも１つの第一締め付けエリア（１６Ａ）において、前記ベルト（１０）に締め付けられる、請求項３に組み合わされた請求項５または６に記載の装置。
【請求項８】
前記第一突起（１２Ａ）が形成された前記細片部（１４Ａ）は、少なくとも第二締め付けエリア（１８Ａ）において、前記ベルト（１０）にさらに締め付けられており、前記第二締め付けエリア（１８Ａ）は、前記ベルトの締め付け状態において、前記ベルトの周に沿って、前記ベルトの前記第一端（１０Ａ）から前記第二端（１０Ｂ）へ向かう方向に、前記横タブ（２８Ａ、２８Ｂ）の端を越えて伸びる、請求項７に記載の装置。
【請求項９】
前記凹部（１１）の幅（ＬＲ）は、前記ベルト（１０）の幅（ＬＣ）の少なくとも６０％、好ましくは少なくとも７０％、またはさらに少なくとも８０％である、請求項１〜８のいずれか１項に記載の装置。
【請求項１０】
前記中心タブ（２４、１２４）の最小幅（Ｌｌ、Ｌｍ）は、前記ベルト（１０）の幅（ＬＣ）の少なくとも５０％、好ましくは少なくとも６０％、またはさらに少なくとも７０％である、請求項１〜９のいずれか１項に組み合わされた請求項３に記載の装置。
【請求項１１】
前記横タブ（２８Ａ、２８Ｂ；１２８Ａ、１２８Ｂ）の長さ（Ｌａ）は、前記ベルト（１０）の幅（ＬＣ）の５０〜１５０％、必要に応じて７０〜１２０％の範囲にある、請求項１〜１０のいずれか１項に記載の装置。
【請求項１２】
前記装置は、前記ベルト幅の２つの異なる部分において前記ベルトの前記第一端（１０Ａ）の近傍に配置された２つの第一締め付け突起（１２Ａ、１２’Ａ）と、前記ベルト幅の２つの異なる部分において前記ベルトの前記第二端（１０Ｂ）の近傍に配置された２つの第二締め付け突起（１２Ｂ、１２’Ｂ）とを備える、請求項１〜１１のいずれか１項に記載の装置。
【請求項１３】
前記２つの第一突起（１２Ａ、１２’Ａ）および／または前記２つの第二突起（１２Ｂ、１２’Ｂ）が配置された前記ベルト幅の前記異なる部分は、前記ベルト（１０）の周方向のスリット（３０Ａ、３０Ｂ）によって分離される、請求項１２に記載の装置。
【請求項１４】
前記装置は、前記２つの突起（１２Ａ、１２Ｂ）に保持された締め付け軸（２０Ａ）を備える、請求項１〜１３のいずれか１項に記載の装置。
【請求項１５】
各横タブ（２８Ａ、２８Ｂ；１２８Ａ、１２８Ｂ）は、前記タブの全長にわたって伸びる前記押し込み段差のうちの１つの一部分を備える、請求項１〜１４のいずれか１項に記載の装置。
【発明の詳細な説明】
【技術分野】
【０００１】
本開示は、第一端および第二端を有するベルトと、ベルト内に配置された封止リングと、それぞれベルトの第一端および第二端の近傍において、ベルトによって支持された第一締め付け突起（ｌｕｇ）および第二締め付け突起とを備え、ベルトを締め付けるために突起を互いに対して変位可能である、締め付け装置に関する。
【０００２】
特に、そのような装置は、２つのチューブを封止して接続する機能を有する。この２つのチューブは、端と端とを向かい合わせて並べられた２つの平滑なチューブからなり得る。したがって、封止リングは、チューブ（すなわち、互いに圧嵌入される、隆起（ｂｕｌｇｅ）タイプまたは類似の支持面を有する２つのチューブ）の端間の分離線と協働する。いずれの場合も、封止リングは、これらの隆起の頂点と協働して、２つのチューブ間に閉鎖封止空間を配置できる。
【背景技術】
【０００３】
特許文献１は、締め付け突起を備える外側締め付けベルトと、外側ベルトの内側に配置された内側ベルトと、内側ベルトの凹部に配置された封止リングとを備える装置を開示する。外側ベルトは、締め付けを確実にし、封止リングおよび内側ベルトを組み合わせることで、封止を確実にする。内側ベルトの端は、タブ（ｔａｂ）およびノッチ（ｎｏｔｃｈ）構成を有し、タブは、外側ベルトの締め付け時に、ノッチに貫入して、封止接触を確実にする。このシステムは、比較的複雑である。なぜなら、外側ベルト、内側ベルト、および封止リングを構成する３つの異なる部材を取り扱いかつ組み立てる工程が想定されており、これらの部材は、完璧に位置合わせされ、互いに押し込まれる（ｗｅｄｇｅ）必要がある。
【０００４】
特許文献２は、代替の１つにおいて、ベルトと、このベルトに締め付けられた突起と、ベルトの内側に配置された封止リングとを備える装置を提案する。このシステムは、封止リングを含むベルトの他には締め付けベルトを必要としないので、より単純である。しかし、ベルトの内側の封止リングの押し込みは、ランダムであり、ベルトの端間の接触部の封止は、十分でない。
【先行技術文献】
【特許文献】
【０００５】
【特許文献１】米国特許出願公開第２０１１／２１０５４６号明細書
【特許文献２】米国特許出願公開第２００３／０１５８７２号明細書
【発明の概要】
【発明が解決しようとする課題】
【０００６】
本開示は、上記欠点を実質的に有さない装置、特に使用が容易であり、信頼性のある装置を提案することによって、従来技術の上記状態を改善することを目的とする。
【課題を解決するための手段】
【０００７】
したがって、本開示は、第一端および第二端を有するベルトと、ベルトの環状凹部内に配置された封止リングと、それぞれベルトの第一端および第二端の近傍においてベルトによって支持された第一締め付け突起および第二締め付け突起とを備える締め付け装置であって、突起は、ベルトを締め付けるために互いに対して変位可能であり、凹部は、封止リングのエッジに対する押し込み段差を形成するエッジを有し、封止リングは、段差間の凹部の全幅を実質的に占め、ベルトの第一端および第二端は、第二端に形成された２つの横タブを備える封止構成を有し、これらの横タブのそれぞれは、各横タブが押し込み段差のうちの１つの一部を備えるように、ベルトの一方のエッジから凹部へ、ベルト上の幅方向に伸びる、装置に関する。
【０００８】
このように、封止リングは、ベルトの環状凹部に受け取られ、封止リングがこの凹部の全幅を実質的に占めている限り、封止リングは、この凹部を規定する段差間に押し込まれる。この押し込みは、ベルトの第一端と第二端との接合部において有効なままとなる。なぜなら、封止ベルトは、横タブのよって構成される段差の部分によって横方向にその状態に維持されるからである。封止構成は、ベルトの端において、ベルトと一体的に、直接的に達成されるので、ベルトの締め付け状態におけるこれらの端間の封止接触を確実にする。しかし、ベルト内に配置された封止リングは、ほとんど外部に露出されず、そのエッジは、その段差部分において封止リングを受け取る横タブによって保護される。
【０００９】
封止構成は、特に、オス／メス構成タイプであり、ベルトの第一端は、ベルトの締め付け状態において第二端の横タブ間に貫入するオス構成を与える。このオス構成と横タブの内側エッジ（すなわち、これらのタブの、ベルトの環状エッジとは反対のエッジ）との間の協働は、封止性を促進する。
【００１０】
封止構成は、ベルトの第一端に形成された中心タブと、ベルトの第二端に形成され、横タブによって規定された中心ノッチとを備えてもよい。中心タブは、ベルトの締め付け状態において、中心ノッチに貫入してもよい。
【００１１】
凹部は、押し込み段差の一方から他方へ伸びる平坦な底部を有してもよい。
【００１２】
締め付け突起は、ベルト上に付加された細片部に形成されてもよい。
【００１３】
締め付け突起が形成された細片部は、凹部の幅以下である幅を有してもよく、凹部の半径方向外側の面に締め付けられてもよい。
【００１４】
第一突起が形成された細片部は、中心タブ上に位置する少なくとも１つの第一締め付けエリアにおいて、ベルトに締め付けられてもよい。
【００１５】
第一突起が形成された細片部は、少なくとも第二締め付けエリアにおいて、ベルトにさらに締め付けられていてもよく、第二締め付けエリアは、ベルトの締め付け状態において、ベルトの周に沿って、ベルトの第一端から第二端へ向かう方向に、横タブの端を越えて伸びてもよい。
【００１６】
凹部の幅は、ベルトの幅の少なくとも６０％、好ましくは少なくとも７０％、またはさらに少なくとも８０％であってもよい。
【００１７】
中心タブの最小幅は、ベルトの幅の少なくとも５０％、好ましくは少なくとも６０％、またはさらに少なくとも７０％であってもよい。
【００１８】
横タブの長さは、ベルトの幅の５０〜１５０％、必要に応じて７０〜１２０％の範囲にあってもよい。
【００１９】
装置は、ベルト幅の２つの異なる部分においてベルトの第一端の近傍に配置された２つの第一締め付け突起と、ベルト幅の２つの異なる部分においてベルトの第二端の近傍に配置された２つの締め付け突起とを備えてもよい。
【００２０】
２つの第一突起および／または２つの第二突起が配置されたベルト幅の異なる部分は、ベルトの周方向のスリットによって分離されてもよい。
【００２１】
前記装置は、２つの突起に保持された締め付け軸を備えてもよい。
【００２２】
本開示に係る装置において、封止リングは、凹部体積を占め、そしてこの凹部を規定する段差によって、そのエッジにおいて押し込まれる。締め付け突起は、ベルトに直接に一体化され得、またはベルトに付加された細片部によって形成され得る。このように、ベルトは、締め付け突起よりも簡単に変形する材料であり得る。特に、締め付け突起およびベルトは、金属細片であり得る。突起を与え得る金属細片は、例えば、より大きな厚さを有することによって、その機械的な抵抗性を大きくし得る。これは、用途によって、特に、締め付け突起が締め付け時に傾斜に対抗するような補強部を有するような形状にされる場合に、一方でベルトはより厚い細片によって与えられ得る。補強部は、ベルト幅の大きな部分を占め得るので、封止リングが大きな幅を有することを可能にする。これは、ある構成において好適であり、特に、封止リングと、互いに接続されて、締め付け装置によって締め付けられた２つのチューブの隆起との接触によって封止が確実にされる場合に好適である。この装置が２つの第一締め付け突起および２つの第二締め付け突起を備える場合、異なる突起に印加される締め付け力は、周方向のスリットの存在により分離され得る。
【００２３】
非限定的な例によって表された実施形態の以下の詳細な説明を読むことによって、本開示は、理解され、その利点がより明らかとなる。説明において添付の図面を参照する。
【図面の簡単な説明】
【００２４】
【図１】図１は、本発明に係る締め付け装置の斜視図である。
【図２】図２は、図１のＩＩ−ＩＩ面での断面図である。
【図３】図３は、図１の矢印ＩＩＩにしたがって全体を見たときの、封止リングを省略した図１の装置の斜視図である。
【図４】図４は、２つのチューブ上で締め付けた図１〜３の装置の斜視図である。
【図５】図５は、図４のＶ−Ｖ面での断面図である。
【図６】図６は、別の実施形態を示す、図１と同様の図である。
【図７】図７は、図６のＶＩＩ−ＶＩＩ面に沿う断面図である。
【図８】図８は、締め付け突起を省略した装置を示す、図６と同様の図である。
【図９】図９は、図６の矢印ＩＸにしたがって全体を見たときの、締め付けリングを省略した装置の内側を示す斜視図である。
【図１０】図１０は、２つのチューブの端で締め付けられた装置を示す、ベルトの軸に平行で、ベルトの直径を含む面での断面図である。
【図１１】図１１は、別の実施形態に係るベルトの半径方向外側の面の、その端の領域おける一部を示す平面図である。
【図１２】図１２は、図１１のＸＩＩ−ＸＩＩ線に沿った断面図である。
【発明を実施するための形態】
【００２５】
図１に示す締め付け装置は、第一端１０Ａおよび第二端１０Ｂを有するベルト１０を備える。このベルトは、それぞれ第一端１０Ａおよび第二端１０Ｂの近傍に位置する第一締め付け突起１２Ａおよび第二締め付け突起１２Ｂを支持する。この例において、締め付け突起１２Ａおよび１２Ｂは、ベルト上に付加された細片部１４Ａおよび１４Ｂに形成される。この例において、各突起は、それを支持する細片部と一体化される。細片部１４Ａおよび１４Ｂは、それぞれの平板部１５Ａ、１５Ｂと持ち上げ部とを有する。平板部は、ベルト１０の半径方向外側の面に対向して配置され、実質的にこのベルトの周方向にしたがって方向付けられる。持ち上げ部は、それぞれの突起１２Ａ、１２Ｂを形成する。
【００２６】
この例において、細片部１４Ａおよび１４Ｂは、それぞれ２つの締め付けエリア１６Ａ、１８Ａおよび１６Ｂ、１８Ｂによってベルトに締め付けられる。締め付けエリア１６Ａ、１８Ａおよび１６Ｂ、１８Ｂのうちの少なくとも１つ（例えば、第二締め付けエリア１８Ａ、１８Ｂ）は、ボスによって形成される。第一締め付けエリア１６Ａおよび１６Ｂもまた、ボスによって形成され得、溶接によってなされ得る。また、締め付けエリアは、別の方法で形成され得る。例えば、クリンチング（ｃｌｉｎｃｈｉｎｇ）によって形成され得るか、またはベルトの開口部と協働するセンタリングスタッド（ｃｅｎｔｅｒｉｎｇ  ｓｔｕｄ）の形態で形成され得る。本例において、各細片部の２つの締め付けエリアのそれぞれは、その細片部の平板に作成され、ベルトへ向かって突出するボスによって形成される。逆の配置が提供され得る。すなわち、ボスがベルトに設けられ、細片部の平板に向かって突出する。または混合構成が提供され得る。すなわち、一方のボスが細片部の平板に設けられ、他方がベルトに設けられる。
【００２７】
しかし、本開示の範囲を逸脱せずに、突起を支持する細片部の、他の締め付けモードが提供され得る。また、突起は、ベルトと一体的に形成され得る。
【００２８】
いずれにせよ、突起は、ベルトを締め付けるために互いに対して変位可能であることが理解される。本例において、この締め付けは、突起と協働する締め付け軸（ｓｔｅｍ）によって突起を互いに接近させることによって操作される。この例において、この締め付け軸は、ネジ２０の軸２０Ａによって形成される。ネジ２０のネジ頭２０Ｂ（または、軸と協働するナット）は、一方の突起の背後に保持され、軸２０Ａと協働するナット２０Ｃは、他方の突起の背後に保持される。この例において、軸は、突起の貫通穴を横断する。
【００２９】
図２および３からより良く分かるように、ベルトは、半径方向内側の面に形成された環状凹部１１を有する。
【００３０】
一般と同様に、「半径方向内側」は、素子が、ベルトの軸Ａの方向に向かって、この軸から遠く離れる半径方向外側の素子に対して反対となるように配置されることを意味する。また、一般と同様に、前方向は、締め付け時に突起が変位する方向であると考える。このように、この例において、締め付けを達成するように、突起が互いに接近するようにされる限りにおいて、突起の前面は、他方の突起に向けられる面であり、後面は、その反対面である。
【００３１】
凹部の環状エッジは、それぞれ押し込み段差１１Ａおよび１１Ｂを形成する。封止リング２２（図３では、図面を分かりやすくするために省略）は、凹部１１内に配置される。この封止リングは、それ自体の周りに巻かれた平坦な細片から形成される。リングは、閉リングまたは開リングであり得る。
【００３２】
この例において、凹部１１は、一方の押し込み段差（１１Ａおよび１１Ｂ）から他方の押し込み段差（１１Ａおよび１１Ｂ）へ伸びる平坦な底部１１’を有する。凹部の深さＰは、封止リング２２の厚みＥに実質的に一致する。凹部１１の深さＰは、凹部の両側で、凹部１１の円柱方向の底部と、凹部１１のエッジにおけるベルト１０の半径方向内側の表面に正接する円柱方向の表面との間に規定される。したがって、封止リングは、凹部に押し込まれることによって、凹部に受け取られる。図２から分かるように、半径方向の平面に位置する２つの環状リム間で測定される、封止リングの幅Ｌは、凹部の幅ＬＲに一致する。より正確には、幅ＬＲは、幅Ｌに等しいか、または幅Ｌよりもほんのわずかに大きい。このように、封止リングは、凹部にその厚み方向に収容されるだけでなく、２つの段差１１Ａおよび１１Ｂ間に横方向に押し込まれる。図２から分かるように、封止リング２２の環状エッジ（特に、その外側エッジ）は、押し込み段差１１Ａおよび１１Ｂと凹部１１の底部１１Ｃとの間への移動に適合するためにわずかに面取りまたは鈍化され得る。
【００３３】
封止リングは、特にグラファイトタイプまたはグラファイト系材料で形成されるが、マイカ系材料からなるか、またはセラミック繊維またはガラス繊維から製造されるか、もしくは一般に、特に圧縮または変形によって封止を確実にするのに適した複合材料で製造され得る。
【００３４】
ベルト１０の第一端１０Ａは、オス封止構成（この例において、中心タブ２４）であり、その第二端１０Ｂは、メス封止構成を形成する中心ノッチ２６である。中心タブ２４がベルトの締め付け時に中心ノッチ２６に貫入することが理解される。この中心ノッチ２６は、横タブ２８Ａおよび２８Ｂの間に規定される。タブ２８Ａは、ベルトの幅方向に（すなわち、ベルトの軸Ａに平行に）、このベルトの環状エッジ１０’Ａから凹部１１へ伸びる。
【００３５】
同様に、タブ２８Ｂは、ベルトの反対側の環状エッジ１０’Ｂから凹部１１に伸びる。このように、横タブ２８Ａおよび２８Ｂのそれぞれは、押し込み段差のうちの１つの一部を備える。このように、図２および３において、押し込み段差１１Ａがタブ２８Ａにおいて伸びる（この例においては、このタブの全長にわたって伸びる）こと、そして同様に、押し込み段差１１Ｂがタブ２８Ｂにおいてこのタブの長さにわたって伸びることが分かる。
【００３６】
したがって、特に図２から分かるように、封止リング２２はまた、タブ２８Ａおよび２８Ｂの領域において横方向に押し込まれる。したがって、この封止リングは、そのエッジにおいて保護されるとともに、その半径方向外側の面においても中心タブ２４によって保護される。
【００３７】
ベルトの締め付け時に、その２つの端１０Ａおよび１０Ｂは、互いにより接近し、それにより封止リング２２を圧縮する。この封止リングを横タブの領域に押し込むことは、この圧縮に寄与するとともに、その均一性にも寄与し、同時に、特に漏洩のおそれのあるこの領域での封止リングの使用または損傷を回避する。
【００３８】
上記のように、封止リングは、閉じた環状体であり得る。封止リングが開いた環状体の形態である場合、この環状体の端間の分離線は、ベルトの端から距離を置いて配置され得る。
【００３９】
図４は、締め付け状態の締め付け装置を示し、この装置の内側で２つのチューブ１および２が接続されていることを示す。この締め付け状態において、横タブ２８Ａおよび２８Ｂの自由端において、封止リングの長さの非常に小さい部分は、横方向に露出されていることが理解され得る。
【００４０】
図５からより良く分かるように、チューブ１および２は、この例において、それぞれ環状隆起を有する（チューブ２は、環状隆起２Ａを有し、チューブ１は、環状隆起１Ａを有する）。この例において、チューブ２は、チューブ１に圧嵌入される自由端２Ｂを有する。この圧嵌入状態において、２つの環状隆起１Ａおよび１Ｂの上に締め付け装置（より詳細には、封止リング２２）が乗る。したがって、チューブの隆起１Ａおよび２Ａと封止リング２２との間にこのように形成された包囲部（ｅｎｃｌｏｓｕｒｅ）ＥＮは、外部に対して閉じられる。
【００４１】
本例において、凹部の幅ＬＲは、この例において、ベルトの幅ＬＣの少なくとも６０％、好ましくは少なくとも７０％、またはさらには少なくとも８０％である。ベルトの幅ＬＣは、ベルトの一方の環状エッジから次の環状エッジを測定したものである。
【００４２】
また、上記の図を参照すると、本例において、締め付け突起が形成される細片部１４Ａおよび１４Ｂの幅ＬＰは、凹部１１の幅ＬＲよりも若干小さい。これらの細片部１４Ａおよび１４Ｂ（より詳細には、それらの平板１５Ａおよび１５Ｂ）は、凹部１１の半径方向外側の面に締め付けられることが理解され得る。この例において、第一突起１２Ａが形成される細片部１４Ａは、中心タブ２４の領域においてベルト１０に締め付けられる。この細片部１４Ａの第一締め付けエリア１６Ａは、中心タブ２４上に位置することが理解され得る。この例において、平板１５Ａの幅ＬＰは、この中心タブ２４の幅Ｌｌとほぼ同じである。この中心タブへの締め付けによって、締め付け時に、このタブが封止リングに半径方向に支持されることが促進され得る。しかし、第二締め付けエリア１８Ａは、中心タブ２４Ａの後方に位置することが理解され得る。より詳細には、図４に示すカラー（ｃｏｌｌａｒ）の締め付け状態において、横タブ２８Ａおよび２８Ｂの端は、この締め付けエリア１８Ａの前方に位置する。言い換えると、第二締め付けエリア１８Ａは、締め付け状態において、ベルト１０の周に沿って、その第一端１０Ａからその第二端１０Ｂの方へ、これらの２つの端の間の分離線を通過せずに、向かう方向において、横タブ２８Ａおよび２８Ｂの端の後方に見出される。
【００４３】
上記の実施形態において、装置は、１つの第一突起１２Ａと１つの第二突起１２とを含む。
【００４４】
以下、図６およびそれ以降の図は、装置が２つの第一突起と２つの第二突起とを備える別の例を示す。これらの図において、前記の図から変更のない要素は、同じ参照符号によって示す。図から分かるように、装置は、ベルト上でその第一端１０Ａに幅方向に並んで配置された２つの第一突起１２Ａおよび１２’Ａと、ベルトの第二端１０Ｂに並んで配置された２つの第二突起１２Ｂおよび１２’Ｂとを備える。この例において、突起は、第一実施形態と同様に、すなわち、細片部に形成される。細片部は、その平板によってベルトに締め付けられる。例えば、図６では、細片部１４Ａに第一突起１２Ａが形成され、その細片部の平板１５Ａがベルトの半径方向外側の面に締め付けられ、そして細片部１４’Ａに他方の突起１２’Ａが形成され、その細片部の平板１５’Ａがベルトに締め付けられることが分かる。２つの第一突起は、同一であり、２つの第二突起も同様である。
【００４５】
平板１５Ａおよび１５’Ａは、幅方向に並んで配置され、それぞれの幅は、ベルトの幅ＬＣの半分に実質的に等しい。したがって、２つの第一突起は、ベルト幅の２つの異なる部分に配置され、２つの第二突起は、ベルト幅の２つの異なる部分に配置される。
【００４６】
特に図８を参照すると、それぞれの異なる部分が周方向のスリットによって分離されることが分かる。したがって、ベルトの第一端１０Ａは、この第一端の自由端から後方へ伸びる周方向のスリット３０Ａを有し、スリット３０Ａの長さは、第一突起１２Ａおよび１２’Ａを支持する細片部１４Ａおよび１４’Ａの平板１５Ａおよび１５’Ａの長さに実質的に等しい。このように、周方向のスリット３０Ａは、中心タブ２４を２つのタブ部分２４Ａおよび２４Ｂに分割する。同様に、ベルトの第二端１０Ｂは、その自由端から伸びる周方向のスリット３０Ｂを有し、スリット３０Ｂの長さは、第二突起１２Ｂおよび１２’Ｂが形成される細片部１４Ｂおよび１４’Ｂの平板１５Ｂおよび１５’Ｂの長さに実質的に等しい。
【００４７】
周方向のスリット３０Ａおよび３０Ｂは、ベルト幅の中央に向かって配置される。したがって、周方向のスリット３０Ｂは、中心ノッチ２６の底部から始まって、上記の後方へ伸びる。スリット３０Ａおよび３０Ｂの長さは、実質的に等しくできる。しかし、本例において、スリット３０Ａは、スリット３０Ｂよりも長い。この例において、スリットの長さは、突起が形成される細片部の平板の後部をスリットが越えないか、またはほとんど越えないような長さである。
【００４８】
突起３０Ａおよび３０Ｂが存在することを除けば、ベルトは、上記の図の実施形態のベルトと同様である。特に、上記凹部１１を有する。図７において、封止リング２２が段差１１Ａおよび１１Ｂによって横方向に押し付けられることによってこの凹部に受け取られることが分かる。より見やすい図は、図９である。
【００４９】
図１０は、図６の締め付け装置が２つのチューブ１’および２’の端に配置され、これらのチューブを接続する様子を示す。この例において、これらのチューブは、平滑であり、それらの端は、自由端１’Ａおよび２’Ａであり、チューブが端と端を向かい合わせて（接合して、またはせずに）配置されることにより、互いに対向することが分かる。この例において、図面が明瞭となるように、これらの端は、接合していないように表される。封止リング２２がこれらの２つの自由端間の分離線を覆っていることが分かる。また、第一突起１２Ａがチューブ１’の半径方向の上方に位置し、第一突起１２’Ａがチューブ２’の半径方向の上方に位置することが分かる。同様に、第二突起１２Ｂおよび１２Ｂ’は、それぞれチューブ１’およびチューブ２’の半径方向の上方に位置し、突起１２Ａおよび１２Ｂは、突起１２’Ａおよび１２’Ｂと同様に、周方向に並ぶ。周方向のスリット３０Ａおよび３０Ｂが存在することによって、突起１２Ａおよび１２Ｂが位置するベルトの部分と、突起１２’Ａおよび１２’Ｂが位置するベルトの部分とは、締め付け時に動作が若干異なり得る。これにより、２つのチューブの直径が非常にわずかにしか異ならなくとも、または各対の突起の変位が厳密には同期しなくとも、ベルトを２つのチューブのそれぞれに完璧に締め付けることが確実となる。
【００５０】
上記例において、中心タブ２４は、その全長にわたって実質的に一定の幅を有する。実際に、このタブの横エッジは、ベルトの周方向に平行である。ベルトの周方向は、このベルトが形成される細片長の方向に一致する。同様に、横タブ２８Ａおよび２８Ｂもまた、この方向に平行であり、特に中心タブがその間に収容されるそれらの内側エッジがその方向に平行である。
【００５１】
図１１および１２は、別の例を示す。これらの図において、前記の図から変更のない要素は、同じ参照符号によって示す。したがって、ベルト１０は、上記図と同様に、環状凹部１１を有する。ベルトの第一端１０Ａに配置された中心タブ１２４は、その自由端に向かって次第に小さくなる幅を有し、最小幅は、Ｌｍである。したがって、上記から分かるように、この中心タブは、実質的に台形形態を規定する。中心ノッチ１２６は、中心タブ１２４の形状に適合する形状を有し、したがって、その底部に達するまで小さくなる幅を有する。したがって、横タブ１２８Ａおよび１２８Ｂは、その外側エッジＢＥがベルトの周方向に平行となるが、内側エッジＢＩがベルトの周方向に対して傾く。なお、特に図１２の断面において、凹部１１は、これらの横タブにおいて、これらの横タブ１２８Ａおよび１２８Ｂのそれぞれが段差１１Ａおよび１１Ｂの一方の一部を含むように、部分的に伸びる。
【００５２】
また、中心タブ２４の幅Ｌｌは、このタブのエッジが互いに平行であるとした場合の最小幅である。したがって、一般に、タブ２４の最小幅Ｌｌまたはタブ１２４の最小幅Ｌｍは、ベルトの幅ＬＣの少なくとも５０％、好ましくは少なくとも６０％、さらには少なくとも７０％であり得る。
【００５３】
特に図３および１１から分かるように、ベルトの周方向にしたがって、凹部２６または１２６の底部からこれらのタブの自由端までを測定した、横タブ２８Ａおよび２８Ｂまたは１２８Ａおよび１２８Ｂの長さは、ベルトの幅ＬＣの５０〜１５０％、必要に応じて７０〜１２０％の範囲にある。一方で、これにより、横タブの内側エッジとオス封止構成（この例において、中心タブ２４または１２４）の嵌め合わせエッジとの間に良好な接触面を確実にし、ベルトの仕様に応じて、良好な封止能力を得ることを可能にする。他方で、このように横タブは、封止リングのエッジを完全に保護するのに十分な長さを有する。中心タブの長さは、実質的に横タブの長さに等しい。
【図１】
2020115037.tif 000003
【図２】
2020115037.tif 000004
【図３】
2020115037.tif 000005
【図４】
2020115037.tif 000006
【図５】
2020115037.tif 000007
【図６】
2020115037.tif 000008
【図７】
2020115037.tif 000009
【図８】
2020115037.tif 000010
【図９】
2020115037.tif 000011
【図１０】
2020115037.tif 000012
【図１１】
2020115037.tif 000013
【図１２】
2020115037.tif 000014
【外国語明細書】
2020115037000001.pdf